(57)【特許請求の範囲】
【請求項１】
接眼レンズであって、観察側から表示側へ順次に、同軸に設けられる絞りと、屈折力を有する第１レンズと、第２レンズと、第３レンズと、第４レンズと、第５レンズと、を含み、
前記接眼レンズは、
０．７５≦ＥＬ／ｆ≦１．０と、
１５＜｜Ｖ３−Ｖ４｜＜３２と、
ＨＦＯＶ≧３０°との関係式を満足し、
ただし、ＥＬは前記絞りから前記第１レンズの観察側の表面までの軸上距離であり、ｆは前記接眼レンズの有効焦点距離であり、ＨＦＯＶは前記接眼レンズの最大画角の半分であり、Ｖ３は前記第３レンズのアッベ数であり、Ｖ４は前記第４レンズのアッベ数であり、
前記第１レンズは正の屈折力を有し、前記第２レンズは負の屈折力を有し、前記第３レンズは正の屈折力を有し、前記第４レンズは負の屈折力を有する、
ことを特徴とする接眼レンズ。
【請求項２】
前記接眼レンズは、｜ｆ／ｆ３４｜≦０．７５という関係式を満足し、
ただし、ｆは前記接眼レンズの有効焦点距離であり、ｆ３４は前記第３レンズと前記第４レンズとの合成焦点距離である、
ことを特徴とする請求項１に記載の接眼レンズ。
【請求項３】
前記接眼レンズは、０＜ｆ／ｆ１２＜１．３という関係式を満足し、
ただし、ｆは前記接眼レンズの有効焦点距離であり、ｆ１２は前記第１レンズと前記第２レンズとの合成焦点距離である、
ことを特徴とする請求項１に記載の接眼レンズ。
【請求項４】
前記接眼レンズは、０．３５≦（ＣＴ３＋ＣＴ４）／Ｔｄ≦０．５５という関係式を満足し、
ただし、ＣＴ３は前記第３レンズの中心の厚みであり、ＣＴ４は前記第４レンズの中心の厚みであり、Ｔｄは前記第１レンズの観察側の表面から前記第５レンズの表示側の表面までの軸上距離である、
ことを特徴とする請求項１に記載の接眼レンズ。
【請求項５】
前記接眼レンズは、０．９＜ｆ／ｆ１＜１．５という関係式を満足し、
ただし、ｆは前記接眼レンズの有効焦点距離であり、ｆ１は前記第１レンズの有効焦点距離である、
ことを特徴とする請求項１に記載の接眼レンズ。
【請求項６】
前記接眼レンズは、４０＜Ｖ１＜６０という関係式を満足し、
ただし、Ｖ１は前記第１レンズのアッベ数である、
ことを特徴とする請求項１に記載の接眼レンズ。
【請求項７】
前記接眼レンズは、前記第５レンズと前記表示側との間に設けられる第６レンズを含み、前記第３レンズの観察側の表面は凸面であり、前記第４レンズの表示側の表面は凹面であり、前記第６レンズの観察側の表面が凸面であるが、表示側の表面が凹面である、
ことを特徴とする請求項１に記載の接眼レンズ。
【請求項８】
前記接眼レンズは、０．３５≦（ＣＴ３＋ＣＴ４）／Ｔｄ≦０．５５という関係式を満足し、
ただし、ＣＴ３は前記第３レンズの中心の厚みであり、ＣＴ４は前記第４レンズの中心の厚みであり、Ｔｄは前記第１レンズの観察側の表面から前記第６レンズの表示側の表面までの軸上距離である、
ことを特徴とする請求項７に記載の接眼レンズ。
【請求項９】
前記第３レンズと前記第４レンズとは接合レンズであり、且つ材質がガラスである、
ことを特徴とする請求項７に記載の接眼レンズ。
【請求項１０】
前記接眼レンズは、２．０＜Ｖ２／Ｖ６＜３．０という関係式を満足し、
ただし、Ｖ２は前記第２レンズのアッベ数であり、Ｖ６は前記第６レンズのアッベ数である、
ことを特徴とする請求項７に記載の接眼レンズ。
【発明の詳細な説明】
【技術分野】
【０００１】
［関連出願の相互参照］
本出願は、２０１６年７月１４日に中国国家知識産権局に提出された特許出願番号が２０１６１０５６１７４３．５である特許出願の優先権及び権益を主張するものであり、当該中国特許出願の全内容は参照により本明細書に組み入れられる。
【０００２】
本発明は、光学結像技術に関し、特に接眼レンズに関する。
【背景技術】
【０００３】
近年、バーチャルリアリティーと拡張現実技術は急速な発展段階に入り、対応するヘッドマウントディスプレイもディスプレイ分野の人気製品となっている。ヘッドマウントディスプレイについて、構造がコンパクトであり、軽く、頭部に装着しやすいということが求められていると同時に、没頭感を高めるために画角をできるだけ大きくすることも求められている。また、ヘッドマウントディスプレイの場合、結像の品質を重点的に考慮し、結像光学系の各種の収差を抑制することも必要である。結像光学系として、接眼レンズは、ヘッドマウントディスプレイのコアであるため、小型化という特徴を有すると共に、比較的大きい画角と高い結像の品質を有する必要がある。しかし、従来の接眼レンズの画角は比較的小さく、或は小型化されるのに不利であり、又は結像の品質が影響される。
【０００４】
特許ＣＮ１０１８８７１６６Ｂは、ヘッドマウントディスプレイに用いられる接眼レンズシステムを提出し、当該接眼レンズシステムの画角は４０度より小さく、大画角を実現しにくく且つ光学レンズのサイズは比較的大きいため、体積を縮小させることに不利であり、ヘッドマウントディスプレイの構造のコンパクト化という要求を満たすことができない。構造のコンパクト化と、大画角と、高い結像の品質とを同時に実現するのが容易ではない。
【発明の概要】
【発明が解決しようとする課題】
【０００５】
本発明の目的は、従来技術における少なくとも一つの技術的課題を解決することである。そのため、本発明は接眼レンズを提供する必要がある。
【課題を解決するための手段】
【０００６】
本発明の実施形態の接眼レンズは、観察側から表示側へ順次に、同軸に設けられる絞りと、屈折力を有する第１レンズと、第２レンズと、第３レンズと、第４レンズと、第５レンズと、を含み、
前記接眼レンズは
０．７５≦ＥＬ／ｆ≦１．０と、
１５＜｜Ｖ３−Ｖ４｜＜３２と、
ＨＦＯＶ≧３０°との関係式を満足し、
ただし、ＥＬは前記絞りから前記第１レンズの観察側の表面までの軸上距離であり、ｆは前記接眼レンズの有効焦点距離であり、ＨＦＯＶは前記接眼レンズの最大画角の半分であり、Ｖ３は前記第３レンズのアッベ数であり、Ｖ４は前記第４レンズのアッベ数であり、
前記第１レンズは正の屈折力を有し、前記第２レンズは負の屈折力を有し、前記第３レンズは正の屈折力を有し、前記第４レンズは負の屈折力を有する。
【０００７】
いくつかの実施例において、前記接眼レンズは、
｜ｆ／ｆ３４｜≦０．７５という関係式を満足し、
ただし、ｆは前記接眼レンズの有効焦点距離であり、ｆ３４は前記第３レンズと前記第４レンズとの合成焦点距離である。
【０００８】
いくつかの実施例において、前記接眼レンズは、
０＜ｆ／ｆ１２＜１．３、という関係式を満足し、
ただし、ｆは前記接眼レンズの有効焦点距離であり、ｆ１２は前記第１レンズと前記第２レンズとの合成焦点距離である。
【０００９】
いくつかの実施例において、前記接眼レンズは、
０．３５≦（ＣＴ３＋ＣＴ４）／Ｔｄ≦０．５５という関係式を満足し、
ただし、ＣＴ３は前記第３レンズの中心の厚みであり、ＣＴ４は前記第４レンズの中心の厚みであり、Ｔｄは前記第１レンズの観察側の表面から前記第５レンズの表示側の表面までの軸上距離である。
【００１１】
いくつかの実施例において、前記接眼レンズは、
０．９＜ｆ／ｆ１＜１．５という関係式を満足し、
ただし、ｆは前記接眼レンズの有効焦点距離であり、ｆ１は前記第１レンズの有効焦点距離である。
【００１２】
いくつかの実施例において、前記接眼レンズは、
４０＜Ｖ１＜６０という関係式を満足し、
ただし、Ｖ１は前記第１レンズのアッベ数である。
【００１３】
いくつかの実施例において、前記接眼レンズは、前記第５レンズと前記表示側との間に設けられる第６レンズを含み、前記第３レンズの観察側の表面は凸面であり、前記第４レンズの表示側の表面は凹面であり、前記第６レンズの観察側の表面が凸面であるが、表示側の表面が凹面である。
【００１４】
いくつかの実施例において、前記接眼レンズは、
０．３５≦（ＣＴ３＋ＣＴ４）／Ｔｄ≦０．５５という関係式を満足し、
ただし、ＣＴ３は前記第３レンズの中心の厚みであり、ＣＴ４は前記第４レンズの中心の厚みであり、Ｔｄは前記第１レンズの観察側の表面から前記第６レンズの表示側の表面までの軸上距離である。
【００１５】
いくつかの実施例において、前記第３レンズと前記第４レンズとは接合レンズであり、且つ材質がガラスである。
【００１６】
いくつかの実施例において、前記接眼レンズは、
２．０＜Ｖ２／Ｖ６＜３．０という関係式を満足し、
ただし、Ｖ２は前記第２レンズのアッベ数であり、Ｖ６は前記第６レンズのアッベ数である。
【００１７】
本発明の実施形態における接眼レンズは、小型化と、広角化との利点を有し、全視野内の収差を効果的に矯正することができる上に、比較的大きい相対アイレリーフが取得される。
【００１８】
本発明の付加的な特徴及び利点は、一部が以下の説明に示され、一部が以下の説明により明らかになる、又は本発明の実践により理解される。
【図面の簡単な説明】
【００１９】
本発明の上記及び／又は付加的な特徴と利点は、以下の図面に合わせて実施形態を説明することにより、明らかになり、容易に理解されるようになる。そのうち、
【図１】実施例１の接眼レンズの構成概略図である。
【図２】実施例１の接眼レンズのＭＴＦ解像曲線図である。
【図３】実施例２の接眼レンズの構成概略図である。
【図４】実施例２の接眼レンズのＭＴＦ解像曲線図である。
【図５】実施例３の接眼レンズの構成概略図である。
【図６】実施例３の接眼レンズのＭＴＦ解像曲線図である。
【図７】実施例４の接眼レンズの構成概略図である。
【図８】実施例４の接眼レンズのＭＴＦ解像曲線図である。
【図９】実施例５の接眼レンズの構成概略図である。
【図１０】実施例５の接眼レンズのＭＴＦ解像曲線図である。
【図１１】実施例６の接眼レンズの構成概略図である。
【図１２】実施例６の接眼レンズのＭＴＦ解像曲線図である。
【図１３】実施例７の接眼レンズの構成概略図である。
【図１４】実施例７の接眼レンズのＭＴＦ解像曲線図である。
【図１５】実施例８の接眼レンズの構成概略図である。
【図１６】実施例８の接眼レンズのＭＴＦ解像曲線図である。
【図１７】実施例９の接眼レンズの構成概略図である。
【図１８】実施例９の接眼レンズのＭＴＦ解像曲線図である。
【図１９】実施例１０の接眼レンズの構成概略図である。
【図２０】実施例１０の接眼レンズのＭＴＦ解像曲線図である。
【発明を実施するための形態】
【００２０】
以下に、本発明の実施形態を詳細に説明する。前記実施形態の例が図面に示されるが、同一又は類似する符号は、常に、同一又は類似する部品、或いは、同一又は類似する機能を有する部品を表す。以下に、図面を参照しながら説明される実施形態は例示的なものであり、本発明を解釈するためだけに用いられ、本発明を限定するものと理解してはいけない。
【００２１】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」などの用語が示す方位又は位置関係は、図面に示す方位又は位置関係に基づき、本発明を便利に又は簡単に説明するために使用されるものであり、指定された装置又は部品が特定の方位にあり、特定の方位において構造され操作されると指示又は暗示するものではないので、本発明を限定するものと理解してはいけない。なお、「第１」、「第２」の用語は目的を説明するためだけに用いられるものであり、比較的な重要性を指示又は暗示するか、或いは示された技術的特徴の数を黙示的に指示すると理解してはいけない。よって、「第１」、「第２」が限定されている特徴は一つ又はより多くの前記特徴を含むことを明示又は暗示するものである。本発明の説明において、明確且つ具体的な限定がない限り、「複数」とは、二つ又は二つ以上のことを意味する。
【００２２】
なお、本発明の説明において、明確な規定と限定がない限り、「取り付け」、「互いに接続」、「接続」の用語の意味は広く理解されるべきである。例えば、固定接続や、着脱可能な接続や、或いは一体的な接続でも可能である。机械的な接続や、電気的な接続や、或いは互いに通信することも可能である。直接的に接続することや、中間媒体を介して間接的に接続することや、二つの部品の内部が連通することや、或いは二つの部品の間に相互の作用関係があることも可能である。当業者にとって、具体的な場合によって上記用語の本発明においての具体的な意味を理解することができる。
【００２３】
本発明において、明確な規定と限定がない限り、第１特徴が第２特徴の「上」又は「下」にあることは、第１特徴と第２特徴とが直接的に接触することを含んでも良いし、第１特徴と第２特徴とが直接的に接触することではなくそれらの間の別の特徴を介して接触することを含んでもよい。また、第１特徴が第２特徴の「上」、「上方」又は「上面」にあることは、第１特徴が第２特徴の真上及び斜め上にあることを含むか、或いは、単に第１特徴の水平高さが第２特徴より高いことだけを表す。第１特徴が第２特徴の「下」、「下方」又は「下面」にあることは、第１特徴が第２特徴の真上及び斜め上にあることを含むか、或いは、単に第１特徴の水平高さが第２特徴より低いことだけを表す。
【００２４】
以下の開示は、多くの異なる実施形態又は例を提供して本発明の異なる構造を実現する。本発明の開示を簡素化するため、以下に特定の例の部材及び配置について説明する。勿論、これらは例示的なものに過ぎず、本発明を限定することを意図していない。また、本発明は、異なる例において参考数字及び／又は参考アルファベットを重複することができる。このような重複は、簡素化及び明瞭化するためであり、その自体は検討される各種の実施形態及び／又は配置の間の関係を示すものではない。また、本発明は、さまざまな特定のプロセス及び材料の例を挙げているが、当業者は、他のプロセスの適用及び／又は他の材料の使用を考えることも可能である。
【００２５】
図１を参照すると、本発明の実施形態における接眼レンズは、観察側から表示側へ順次に、同軸に設けられる絞りＳＴＯと、屈折力を有する第１レンズＥ１と、第２レンズＥ２と、第３レンズＥ３と、第４レンズＥ４と、第５レンズＥ５と、を含む。
【００２６】
図３、５、７、９、１１、１３を一緒に参照すると、本発明の実施例１−７において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有する。また、保護ガラスＥ６は観察側の表面Ｓ１０及び表示側の表面Ｓ１１を有する。
【００２７】
使用する際に、表示部材が画像を表示し、画像の光線は表示部材の表示面Ｓ１２から射出し、接眼レンズを通過して人間の眼球に投射されて人間の目に感知されるようになる。従って、本発明の実施形態において、接眼レンズの人間の目に近い側を観察側と称し、表示部材に近い側を表示側と称する。
【００２８】
図１５、１７、１９を参照すると、本発明の実施例８−１０において、接眼レンズは、第５レンズＥ５と表示側との間に設けられる第６レンズＥ６’をさらに含んでもよい。第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、第６レンズＥ６’は観察側の表面Ｓ１０’ 及び表示側の表面Ｓ１１’を有する。また、保護ガラスＥ７’は観察側の表面Ｓ１２’
及び表示側の表面Ｓ１３’を有する。
【００２９】
使用する際に、表示部材が画像を表示し、画像の光線は表示部材の表示側の表面Ｓ１４’から射出し、接眼レンズを通過して人間の眼球に投射されて人間の目に感知されるようになる。従って、本発明の実施形態において、接眼レンズの人間の目に近い側を観察側と称し、表示部材に近い側を表示側と称する。
【００３０】
実施例１−１０において、接眼レンズは、
０．７５≦ＥＬ／ｆ≦１．０と、
１５＜｜Ｖ３−Ｖ４｜＜３２と、
ＨＦＯＶ≧３０°との関係式を満足し、
ただし、ＥＬは絞りＳＴＯから第１レンズＥ１の観察側の表面Ｓ１までの軸上距離であり、ｆは接眼レンズの有効焦点距離であり、ＨＦＯＶは接眼レンズの最大画角の半分であり、Ｖ３は第３レンズＥ３のアッベ数であり、Ｖ４は第４レンズＥ４のアッベ数である。
【００３１】
上記条件式を満足することによって、大きい画角を実現すると共に、比較的大きい相対アイレリーフを確保することができ、同時に、色収差を小さくするのに有利であり、高い解像度が確保される。
【００３２】
実施例１−１０において、接眼レンズは、
｜ｆ／ｆ３４｜≦０．７５という関係式を満足し、
ただし、ｆは接眼レンズの有効焦点距離であり、ｆ３４は第３レンズＥ３と第４レンズＥ４との合成焦点距離である。
【００３３】
上記条件式を満足することによって、接眼レンズの屈折力を合理的に分配することができ、色収差が効果的に改善され、解像度が向上する。
【００３４】
実施例１−１０において、接眼レンズは、
０＜ｆ／ｆ１２＜１．３という関係式を満足し、
ただし、ｆは接眼レンズの有効焦点距離であり、ｆ１２は第１レンズＥ１と第２レンズＥ２との合成焦点距離である。
【００３５】
上記条件式を満足することによって、接眼レンズの屈折力を合理的に分配することができ、アイレリーフが効果的に拡大される。
【００３６】
実施例１−７において、接眼レンズは、
０．３５≦（ＣＴ３＋ＣＴ４）／Ｔｄ≦０．５５という関係式を満足し、
ただし、ＣＴ３は第３レンズＥ３の中心の厚みであり、ＣＴ４は第４レンズＥ４の中心の厚みであり、Ｔｄは第１レンズＥ１の観察側の表面Ｓ１から第５レンズＥ５の表示側の表面Ｓ９までの軸上距離である。
【００３７】
上記条件式を満足することによって、接眼レンズの全長を小さくするのに有利であり、接眼レンズの比較的小さいサイズが確保されるとともに、相対アイレリーフも確保される。
【００３８】
実施例１−７において、第１レンズＥ１は正の屈折力を有し、第２レンズＥ２は負の屈折力を有し、第３レンズＥ３は正の屈折力を有し、第４レンズＥ４は負の屈折力を有する。
【００３９】
実施例１−７において、接眼レンズは、
０．９＜ｆ／ｆ１＜１．５という関係式を満足し、
ただし、ｆは接眼レンズの有効焦点距離であり、ｆ１は第１レンズＥ１の有効焦点距離である。
【００４０】
上記条件式を満足することによって、接眼レンズの屈折力を合理的に分配することができ、解像力が向上すると共に、各レンズが光軸上に適切な中心の厚みを有するようになり、接眼レンズのサイズが縮小される。
【００４１】
実施例１−７において、接眼レンズは、
４０＜Ｖ１＜６０という関係式を満足し、
ただし、Ｖ１は第１レンズのアッベ数である。
【００４２】
上記条件式を満足することによって、分散の程度が抑制されるようになり、色収差が解消され、解像度が向上する。
【００４３】
実施例８−１０において、第３レンズＥ３の観察側の表面Ｓ５は凸面であり、第４レンズＥ４の表示側の表面Ｓ７は凹面であり、第６レンズＥ６’の観察側の表面Ｓ１０’は凸面であり、且つ表示側の表面Ｓ１１’は凹面である。
【００４４】
実施例８−１０において、接眼レンズは、
０．３５≦（ＣＴ３＋ＣＴ４）／Ｔｄ≦０．５５という関係式を満足し、
ただし、ＣＴ３は第３レンズＥ３の中心の厚みであり、ＣＴ４は第４レンズＥ４の中心の厚みであり、Ｔｄは第１レンズＥ１の観察側の表面Ｓ１から第６レンズＥ６’の表示側の表面Ｓ１１’までの軸上距離である。
【００４５】
上記条件式を満足することによって、接眼レンズの全長を小さくするのに有利であり、接眼レンズが比較的小さいサイズを有するのが確保されると共に、相対アイレリーフも確保される。
【００４６】
実施例８−１０において、第３レンズＥ３と第４レンズＥ４とは接合レンズであり、且つ材質はガラスである。
【００４７】
ガラスレンズはプラスチックレンズに比べ、良い結像効果を有し、それに、接合レンズは他のレンズによって生じる色収差を効果的に補正することができ、システムの色収差が最大限に減少し、解像度が向上する。
【００４８】
実施例８−１０において、接眼レンズは、
２．０＜Ｖ２／Ｖ６＜３．０という関係式を満足し、
ただし、Ｖ２は第２レンズＥ２のアッベ数であり、Ｖ６は第６レンズＥ６’のアッベ数である。
【００４９】
上記条件式を満足して第２レンズＥ２及び第６レンズＥ６’のアッベ数を合理的に分配することによって、外部の視野の軸上色収差を効果的に減少させることができ、比較的大きい画角の範囲内における高解像度が実現される。
【００５０】
実施例１−１０において、第１レンズＥ１と、第２レンＥ２と、第３レンズＥ３と、第４レンズＥ４と、第５レンズＥ５と、第６レンズＥ６’とは、いずれも非球面レンズである。非球面の面形状は、次の式によって決定される。
0006505239.tif 000002
ただし、ｈは非球面上の任意の点から光軸までの高さであり、ｃは頂点曲率であり、ｋは円錐定数であり、Ａｉは非球面の第ｉ−ｔｈ階の補正係数である。
【００５１】
実施例１
図１−２を参照すると、実施例１において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、保護ガラスＥ６は観察側の表面Ｓ１０及び表示側の表面Ｓ１１を有し、表示部材は表示面Ｓ１２を有する。そのうち、第３レンズＥ３と第４レンズＥ４とは接合レンズである。従って、第３レンズＥ３の表示側の表面Ｓ６と第４レンズＥ４の観察側の表面Ｓ６’とが重なり合っている。接眼レンズは以下の表の条件を満たす。
【００５２】
【表１】
0006505239.tif 000003
【００５３】
【表２】
0006505239.tif 000004
【００５４】
実施例２
図３−４を参照すると、実施例２において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、保護ガラスＥ６は観察側の表面Ｓ１０及び表示側の表面Ｓ１１を有し、表示部材は表示面Ｓ１２を有する。そのうち、第３レンズＥ３と第４レンズＥ４とは接合レンズである。従って、第３レンズＥ３の表示側の表面Ｓ６と第４レンズＥ４の観察側の表面Ｓ６’とが重なり合っている。接眼レンズは以下の表の条件を満たす。  
【００５５】
【表３】
0006505239.tif 000005
【００５６】
【表４】
0006505239.tif 000006
【００５７】
実施例３
図５−６を参照すると、実施例３において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、保護ガラスＥ６は観察側の表面Ｓ１０及び表示側の表面Ｓ１１を有し、表示部材は表示面Ｓ１２を有する。そのうち、第１レンズＥ１と第２レンズＥ２とは接合レンズであり、第３レンズＥ３と第４レンズＥ４とは接合レンズである。従って、第１レンズＥ１の表示側の表面Ｓ２と第２レンズＥ２の観察側の表面Ｓ３とが重なり合い、第３レンズＥ３の表示側の表面Ｓ６と第４レンズＥ４の観察側の表面Ｓ６’とが重なり合っている。接眼レンズは以下の表の条件を満たす。  
【００５８】
【表５】
0006505239.tif 000007
【００５９】
【表６】
0006505239.tif 000008
【００６０】
実施例４
図７−８を参照すると、実施例４において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、保護ガラスＥ６は観察側の表面Ｓ１０及び表示側の表面Ｓ１１を有し、表示部材は表示面Ｓ１２を有する。そのうち、第１レンズＥ１と第２レンズＥ２とは接合レンズである。従って、第１レンズＥ１の表示側の表面Ｓ２と第２レンズＥ２の観察側の表面Ｓ３とが重なり合っている。接眼レンズは以下の表の条件を満たす。
【００６１】
【表７】
0006505239.tif 000009
【００６２】
【表８】
0006505239.tif 000010
【００６３】
実施例５
図９−１０を参照すると、実施例５において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、保護ガラスＥ６は観察側の表面Ｓ１０及び表示側の表面Ｓ１１を有し、表示部材は表示面Ｓ１２を有する。そのうち、第３レンズＥ３と第４レンズＥ４とは接合レンズである。従って、第３レンズＥ３の表示側の表面Ｓ６と第４レンズＥ４の観察側の表面Ｓ６’とが重なり合っている。接眼レンズは以下の表の条件を満たす。
【００６４】
【表９】
0006505239.tif 000011
【００６５】
【表１０】
0006505239.tif 000012
【００６６】
実施例６
図１１−１２を参照すると、実施例６において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、保護ガラスＥ６は観察側の表面Ｓ１０及び表示側の表面Ｓ１１を有し、表示部材は表示面Ｓ１２を有する。そのうち、第３レンズＥ３と第４レンズＥ４とは接合レンズである。従って、第３レンズＥ３の表示側の表面Ｓ６と第４レンズＥ４の観察側の表面Ｓ６’とが重なり合っている。接眼レンズは以下の表の条件を満たす。
【００６７】
【表１１】
0006505239.tif 000013
【００６８】
【表１２】
0006505239.tif 000014
【００６９】
実施例７
図１３−１４を参照すると、実施例７において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、保護ガラスＥ６は観察側の表面Ｓ１０及び表示側の表面Ｓ１１を有し、表示部材は表示面Ｓ１２を有する。そのうち、第３レンズＥ３と第４レンズＥ４とは接合レンズである。従って、第３レンズＥ３の表示側の表面Ｓ６と第４レンズＥ４の観察側の表面Ｓ６’とが重なり合っている。接眼レンズは以下の表の条件を満たす。
【００７０】
【表１３】
0006505239.tif 000015
【００７１】
【表１４】
0006505239.tif 000016
【００７２】
実施例８
図１５−１６を参照すると、実施例８において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、第６レンズＥ６’は観察側の表面Ｓ１０’ 及び表示側の表面Ｓ１１’を有し、保護ガラスＥ７’は観察側の表面Ｓ１２’
及び表示側の表面Ｓ１３’を有し、表示部材は表示面Ｓ１４’を有する。そのうち、第３レンズＥ３と第４レンズＥ４とは接合レンズである。従って、第３レンズＥ３の表示側の表面Ｓ６と第４レンズＥ４の観察側の表面Ｓ６’とが重なり合っている。接眼レンズは以下の表の条件を満たす。
【００７３】
【表１５】
0006505239.tif 000017
【００７４】
【表１６】
0006505239.tif 000018
【００７５】
実施例９
図１７−１８を参照すると、実施例９において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、第６レンズＥ６’は観察側の表面Ｓ１０’ 及び表示側の表面Ｓ１１’を有し、保護ガラスＥ７’は観察側の表面Ｓ１２’
及び表示側の表面Ｓ１３’を有し、表示部材は表示面Ｓ１４’を有する。そのうち、第３レンズＥ３と第４レンズＥ４は接合レンズである。従って、第３レンズＥ３の表示側の表面Ｓ６と第４レンズＥ４の観察側の表面Ｓ６’とが重なり合っている。接眼レンズは以下の表の条件を満たす。
【００７６】
【表１７】
0006505239.tif 000019
【００７７】
【表１８】
0006505239.tif 000020
【００７８】
実施例１０
図１９−２０を参照すると、実施例１０において、第１レンズＥ１は観察側の表面Ｓ１及び表示側の表面Ｓ２を有し、第２レンズＥ２は観察側の表面Ｓ３及び表示側の表面Ｓ４を有し、第３レンズＥ３は観察側の表面Ｓ５及び表示側の表面Ｓ６を有し、第４レンズＥ４は観察側の表面Ｓ６’
及び表示側の表面Ｓ７を有し、第５レンズＥ５は観察側の表面Ｓ８及び表示側の表面Ｓ９を有し、第６レンズＥ６’は観察側の表面Ｓ１０’ 及び表示側の表面Ｓ１１’を有し、保護ガラスＥ７’は観察側の表面Ｓ１２’
及び表示側の表面Ｓ１３’を有し、表示部材は表示面Ｓ１４’を有する。そのうち、第３レンズＥ３と第４レンズＥ４とは接合レンズであり、第５レンズＥ５と第６レンズＥ６’とは接合レンズである。従って、第３レンズＥ３の表示側の表面Ｓ６と第４レンズＥ４の観察側の表面Ｓ６’とが重なり合い、第５レンズＥ５の表示側の表面Ｓ９と第６レンズＥ６’の観察側の表面Ｓ１０’とが重なり合っている。接眼レンズは以下の表の条件を満たす。
【００７９】
【表１９】
0006505239.tif 000021
【００８０】
【表２０】
0006505239.tif 000022
【００８１】
実施例１−１０において、各条件式は以下の表の条件を満たす。
0006505239.tif 000023
【００８２】
上記の表及び図１−２０に示すように、本発明の実施形態における接眼レンズの各レンズの屈折力及びアッベ数がいずれも合理的に分配され、各収差が効果的に抑制されるようになり、比較的小さいサイズが維持される前提で、超広い画角を有し、全視野内の収差を効果的に矯正する上に、比較的大きい相対アイレリーフを取得ことが保証される。
【００８３】
本発明の説明において、「一つの実施例」、「一部の実施例」、「例示的な実施形態」、「例」、「具体的な例」、或いは「一部の示例」などの用語を参考した説明とは、前記実施形態或いは例に合わせて説明された具体的な特徴、構成、材料或いは特徴が、本発明の少なくとも一つの実施形態或いは例に含まれることである。本明細書において、上記用語に対する例示的な描写は、必ずしも同じ実施例或いは示例を示すことではない。又、説明された具体的な特徴、構成、材料或いは特徴は、いずれか一つ或いは複数の実施形態又は例において適切に結合することができる。
【００８４】
以上に本発明の実施形態を示して説明したが、当業者は、本発明の原理及び主旨を逸脱しない場合にこれらの実施形態に対して複数種類の変化、修正、取り替え及び変形を行うことができ、本発明の範囲は請求項及びその等価物によって限定される。
【図１】
0006505239.tif 000024
【図２】
0006505239.tif 000025
【図３】
0006505239.tif 000026
【図４】
0006505239.tif 000027
【図５】
0006505239.tif 000028
【図６】
0006505239.tif 000029
【図７】
0006505239.tif 000030
【図８】
0006505239.tif 000031
【図９】
0006505239.tif 000032
【図１０】
0006505239.tif 000033
【図１１】
0006505239.tif 000034
【図１２】
0006505239.tif 000035
【図１３】
0006505239.tif 000036
【図１４】
0006505239.tif 000037
【図１５】
0006505239.tif 000038
【図１６】
0006505239.tif 000039
【図１７】
0006505239.tif 000040
【図１８】
0006505239.tif 000041
【図１９】
0006505239.tif 000042
【図２０】
0006505239.tif 000043